(57)【要約】【課題】水溶性の包み袋に合成樹脂製の手持ち袋を収容した構造のペット用糞処理袋において、包み袋が、糞を処理しようとする際に手持ち袋と大きくずれたり、手持ち袋から抜け外れてしまうことがないようにして作業性を向上させる。【解決手段】ペット用糞処理袋(A)は、水溶性を有する紙製の包み袋(1)と、包み袋(1)の開口部(10)側から、底部側(21)を内部に差し入れて収容されている非透水性を有する合成樹脂製の手持ち袋(2)と、手持ち袋(2)と包み袋(1)を、所定の強さの外力が作用することにより離脱可能な強さで接着する接着部(3)とを備えている。【選択図】図１
0003133127.tif 000002
【実用新案登録請求の範囲】
【請求項１】
水溶性または水解性の包み袋(1)と、
包み袋(1)の開口部(10)側から、底部(21)側を内部に差し入れて収容されている非透水性の手持ち袋(2)と、
を備えており、
手持ち袋(2)と包み袋(1)は、所定の強さの外力が作用することにより離脱可能な強さで相互に留められている、
ペット用糞処理袋。
【請求項２】
水溶性または水解性を有する紙製の包み袋(1)と、
包み袋(1)の開口部(10)側から、底部側(21)を内部に差し入れて収容されている非透水性を有する合成樹脂製の手持ち袋(2)と、
手持ち袋(2)と包み袋(1)を、所定の強さの外力が作用することにより離脱可能な強さで接着する接着部(3)と、
を備えている、
ペット用糞処理袋。
【考案の詳細な説明】
【技術分野】
【０００１】
本考案は、ペット用糞処理袋に関するものである。更に詳しくは、水溶性を有する包み袋と、包み袋の開口部側から、底部側を内部に差し入れて収容されている非透水性の手持ち袋を備えたペット用糞処理袋において、使用前の状態で手持ち袋に被せられている包み袋が、糞を処理しようとする際に、手持ち袋から抜け外れてしまうことがないようにして、作業性を向上させたものに関する。
【背景技術】
【０００２】
犬などのペットを散歩させる場合、飼い主にはペットが路上に排泄した糞の処理をするというモラルが要求される。糞を処理するためには、例えば専用の提げ袋を用意するなど、飼い主自身が様々に工夫をしていたが、近年においては、散歩に持って行くときにかさ張らず、糞を取りやすい使い捨ての処理袋も使用されるようになってきた。
【０００３】
このような使い捨ての処理袋の一例としては、特許文献１に記載されたペット用糞処理用袋がある。このペット用糞処理用袋は、水溶性の紙製の外袋に、それより深い合成樹脂製の内袋を収容した構造である。そして、使用時には、内袋に手を差し入れ、外袋側で糞をつかみ、内袋と外袋を逆転させるように裏返しにすることにより、糞を外袋に包まれた状態で内袋の中に取り込むことができる。
【０００４】
【特許文献１】特開２００４−４９１１０
【考案の開示】
【考案が解決しようとする課題】
【０００５】
前記特許文献１に記載されたペット用糞処理用袋のような使い捨ての処理袋には次のような課題があった。
ペットが路上に糞をすると、飼い主は処理袋の内袋に手を差し入れて準備をする。しかし、内袋は水分を通さないように合成樹脂で形成されており、表面は滑らかで滑りやすい。このため、処理袋を下に向けると、包み袋となる外袋がその重さで手持ち袋となる内袋から大きくずれたり、外袋が内袋から抜け外れてしまうことがあり、手間がかかってしまうことがあった。特に、風が強いときは、外袋が外れて飛んでいってしまうので注意が必要であった。
【０００６】
そこで本考案の目的は、水溶性を有する包み袋と、包み袋の開口部側から、底部側を内部に差し入れて収容されている非透水性の手持ち袋を備えたペット用糞処理袋において、使用前の状態で手持ち袋に被せられている包み袋が、糞を処理しようとする際に、手持ち袋と大きくずれたり、手持ち袋から抜け外れてしまうことがないようにして、ペット用糞処理袋の作業性を向上させることである。
【課題を解決するための手段】
【０００７】
上記課題を解決するために本考案が講じた手段は次のとおりである。
本考案は、
水溶性または水解性の包み袋（第１の袋）と、
包み袋の開口部側から、底部側を内部に差し入れて収容されている非透水性の手持ち袋（第２の袋）と、
を備えており、
手持ち袋と包み袋は、所定の強さの外力が作用することにより離脱可能な強さで相互に留められている、
ペット用糞処理袋である。
【０００８】
本考案は、
水溶性または水解性を有する紙製の包み袋（第１の袋）と、
包み袋の開口部側から、底部側を内部に差し入れて収容されている非透水性を有する合成樹脂製の手持ち袋（第２の袋）と、
手持ち袋と包み袋を、所定の強さの外力が作用することにより離脱可能な強さで接着する接着部と、
を備えている、
ペット用糞処理袋である。
【０００９】
実用新案登録請求の範囲及び明細書にいう、「水解性」の用語は、紙などの繊維が水によって解ける性質を表す意味で使用している。
手持ち袋と包み袋を留める構造は、接着剤による接着の他、粘着、溶着、圧着、挟み込みなど、公知の各種手段が採用できる。
また、接着の場合、使用する接着剤の種類は特に限定しない。
【００１０】
また、実用新案登録請求の範囲及び明細書にいう、「所定の強さの外力が作用することにより離脱可能な強さ」とは、例えば、包み袋を下にしたときなどに、少なくとも包み袋の重さや風などで手持ち袋とずれたり手持ち袋から抜け外れることがなく、かつ、糞を処分するときに、糞を包んでいる包み袋に各種の外力を作用させて手持ち袋から離脱させることができる強さである。
【００１１】
この場合の外力には、例えば手で引き剥がしたり破ったりする力、糞の重みで剥がしたり破ったりする力、さらに糞の入った包み袋を振り動かして剥がしたり破ったりする力などが含まれるが、これらに限定はされない。なお、作業性をよくするには、糞を包んでいる包み袋が糞の重みで手持ち袋から離脱することができる強さであるのがより好ましい。
【００１２】
（作用）
本考案に係るペット用糞処理袋の作用を説明する。なお、ここでは本考案の各構成要件のそれぞれに、後述する実施の形態において各部に付与した符号を対応させて付与し説明するが、この符号の付与は、あくまで説明の理解を容易にするためであって、各構成要件の上記各部への限定を意味するものではない。
【００１３】
ペットが路上で糞をしたら、飼い主はペット用糞処理袋(A)の内袋になっている手持ち袋（第２の袋）(2)に開口部(20)側から手を入れ、外袋になっている包み袋（第１の袋）(1)を下にして、包み袋(1)で糞をつかむようにする。ペット用糞処理袋(A)の手持ち袋(2)と包み袋(1)は接着などにより相互に留められているので、包み袋(1)の重さや風などで、包み袋(1)が手持ち袋(2)と大きくずれたり、手持ち袋(2)から抜け外れてしまうことはない。
【００１４】
そして、包み袋(1)で糞をつかんだら、内袋である手持ち袋(2)と外袋である包み袋(1)とを逆転させるように裏返しにすることにより、糞を包み袋(1)に包まれた状態で手持ち袋(2)の中に取り込むことができる。また、これにより手持ち袋(2)が外側になり、手を汚すことなく持ち運びができるようになる。
【００１５】
持ち帰った糞を処分するときは、糞を包み袋(1)ごとトイレに捨てるようにする。このとき、手持ち袋(2)の開口部(20)を下へ向ければ、糞は包み袋(1)に包まれていると共に通常は粘着しているので、糞と包み袋(1)は一体となって手持ち袋(2)から離脱する。また、手持ち袋(2)と包み袋(1)が接着などで留められている強さがより強く設定されていれば、離脱させるときに、例えば糞が入った包み袋(1)を手持ち袋(2)から手で引き剥がしたり、振り動かして落としたりすような手間がかかる場合もある。
【考案の効果】
【００１６】
本考案のペット用糞処理袋によれば、手持ち袋と包み袋が、所定の強さの外力が作用することにより離脱可能な強さで接着などにより相互に留められているので、使用前の状態で手持ち袋に被せられている包み袋が、糞を処理しようとする際に、手持ち袋と大きくずれてしまったり、手持ち袋から抜け外れてしまうことが防止できると共に、糞を包んだ包み袋を手持ち袋から離脱させることもできる。これにより、糞を取る際の作業がしやすくなり、ペット用糞処理袋の作業性を向上させることができる。
【考案を実施するための最良の形態】
【００１７】
本考案を図に示した実施例に基づき詳細に説明する。
【実施例】
【００１８】
図１は本考案のペット用糞処理袋の一実施の形態を示す斜視説明図、
図２はペット用糞処理袋の使用手順を示す説明図である。
【００１９】
ペット用糞処理袋Ａは、使用する前（未使用時）においては外袋となっている包み袋１と、内袋となっている手持ち袋２により構成されている。
包み袋１は、水溶性または水解性を有する紙で形成されている。包み袋１の畳んだときの外形は長方形状であるが、特にこの形状に限定するものではなく、一部に開口部を設けた構造であれば、例えば円形、楕円形、各種多角形状、異形状など各種形状のものが採用できる。
【００２０】
包み袋１には、手持ち袋２が収容されている。手持ち袋２は、水を通さない性質（非透水性）を有する合成樹脂製のフィルムで形成されているガゼット袋である。手持ち袋２の畳んだときの外形は長方形状である。なお、手持ち袋２の形状も、前記包み袋１と同様に、各種形状のものが採用できる。また、本実施の形態では、ポリエチレンフィルムを採用しているが、非透水性であれば他の合成樹脂を採用することもできる。
【００２１】
手持ち袋２は、その底部２１側を包み袋１の開口部１０側から差し入れて収容されている。手持ち袋２は、包み袋１の内部に、その双方が畳まれた状態で、ほぼ隙間がないようにして収容されており、手持ち袋２の開口部２０側の一部（本実施の形態では４０％程度）は、包み袋１の開口部１０から外へ露出させてある。
【００２２】
包み袋１と手持ち袋２は、前記手持ち袋２が包み袋１に収容されている状態において、接着部３によって接着されている。接着部３は、畳まれた状態の包み袋１の片面側に三箇所（幅方向の一方側に二箇所、他方側に一箇所）に設けられている。各接着部３は、包み袋１の表面側から裏側へ接着剤を透過させるように付着させ、接着剤によって包み袋１と手持ち袋２を接着して形成された部分である。また、接着部３を設ける箇所及び数は前記に限定されるものではなく、包み袋１の両面側に設けることもできる。
【００２３】
なお、各接着部３の全体としての接着力は、少なくとも包み袋１を下にしたときに、その重さや風などで手持ち袋２と大きくずれたり、手持ち袋２から抜け外れることがなく、なおかつ、後で説明するように、糞を処分するときに、糞を包んでいる包み袋１が糞の重みで手持ち袋２から離れることができる強さに設定されている。
【００２４】
（作用）
図１、図２を参照して、本実施の形態のペット用糞処理袋Ａの使用方法及び作用を説明する。
ペットを散歩させているときに、ペットが路上で糞をしたら、ペット用糞処理袋Ａを取り出して、内袋になっている手持ち袋２に開口部２０側から手を入れる（図２（ａ）参照）。そして、外袋になっている包み袋１を下にして、包み袋１で糞４をつかんで包むようにする（図２（ｂ）参照）。なお、ペット用糞処理袋Ａの手持ち袋２と包み袋１は各接着部３により接着されているので、包み袋１の重さや風などで、包み袋１が手持ち袋２と大きくずれたり、手持ち袋２から抜け外れてしまうことはない。
【００２５】
そして、包み袋１で糞４をつかんだら、内袋である手持ち袋２と外袋である包み袋１とを逆転させるように裏返しにする。これにより、糞４を包み袋１に包まれた状態で手持ち袋２の中に取り込むことができる（図２（ｃ）参照）。これにより手持ち袋２が外側になり、散歩中、手を汚すことなく持ち運びができる。また、手持ち袋２の開口部２０の縁部を結んで開口部２０を閉じれば、糞の臭気が漏れることも防止できる。
【００２６】
持ち帰った糞４を処分するときは、糞４を包み袋１ごとトイレに捨てるようにする。このとき、糞４は包み袋１に包まれていると共に通常は粘着しているので、糞４と包み袋１は一体となって手持ち袋２から離脱する。また、手持ち袋２と包み袋１は前記強さで接着されているので、離脱させるときに糞４が入った包み袋１を手持ち袋２から手で引き剥がしたり、振り動かして落としたりすような手間は不要であり、開口部２０を下へ向ければ、包み袋１は糞４の重みで手持ち袋２から簡単に剥がれ落ちる。
【００２７】
なお、糞４の処理は、前記方法に限定されず、糞４を包んだ包み袋１を手持ち袋２から離脱させて土に埋設したり、地域によっては、糞４を包んだ包み袋１を手持ち袋２に入れた状態で可燃ゴミなどとしてゴミの収集に出すことも可能である。
【００２８】
本明細書で使用している用語と表現は、あくまで説明上のものであって限定的なものではなく、上記用語、表現と等価の用語、表現を除外するものではない。また、本考案は図示されている実施の形態に限定されるものではなく、技術思想の範囲内において種々の変形が可能である。
【図面の簡単な説明】
【００２９】
【図１】本考案のペット用糞処理袋の一実施の形態を示す斜視説明図。
【図２】ペット用糞処理袋の使用手順を示す説明図。
【符号の説明】
【００３０】
Ａ  ペット用糞処理袋
１  包み袋
２  手持ち袋
３  接着部
１０  開口部
２０  開口部
２１  底部
【図１】
0003133127.tif 000003
【図２】
0003133127.tif 000004
【手続補正書】
【提出日】平成19年4月26日(2007.4.26)
【手続補正１】
【補正対象書類名】実用新案登録請求の範囲
【補正対象項目名】全文
【補正方法】変更
【補正の内容】
【実用新案登録請求の範囲】
【請求項１】
水溶性または水解性の包み袋(1)と、
包み袋(1)の開口部(10)側から、底部(21)側を内部に差し入れて収容されている非透水性の手持ち袋(2)と、
を備えており、
手持ち袋(2)と包み袋(1)は、接着剤による接着、粘着、溶着、圧着または挟み込みによって、相互に離脱可能に留められている、
ペット用糞処理袋。
【請求項２】
水溶性または水解性を有する紙製の包み袋(1)と、
包み袋(1)の開口部(10)側から、底部側(21)を内部に差し入れて収容されている非透水性を有する合成樹脂製の手持ち袋(2)と、
手持ち袋(2)と包み袋(1)を、接着剤によって、相互に離脱可能に接着する接着部(3)と、
を備えている、
ペット用糞処理袋。
【手続補正２】
【補正対象書類名】明細書
【補正対象項目名】０００７
【補正方法】変更
【補正の内容】
【０００７】
上記課題を解決するために本考案が講じた手段は次のとおりである。
本考案は、
水溶性または水解性の包み袋（第１の袋）と、
包み袋の開口部側から、底部側を内部に差し入れて収容されている非透水性の手持ち袋（第２の袋）と、
を備えており、
手持ち袋と包み袋は、接着剤による接着、粘着、溶着、圧着または挟み込みによって、相互に離脱可能に留められている、
ペット用糞処理袋である。
【手続補正３】
【補正対象書類名】明細書
【補正対象項目名】０００８
【補正方法】変更
【補正の内容】
【０００８】
本考案は、
水溶性または水解性を有する紙製の包み袋（第１の袋）と、
包み袋の開口部側から、底部側を内部に差し入れて収容されている非透水性を有する合成樹脂製の手持ち袋（第２の袋）と、
手持ち袋と包み袋を、接着剤によって、相互に離脱可能に接着する接着部と、
を備えている、
ペット用糞処理袋である。
【手続補正４】
【補正対象書類名】明細書
【補正対象項目名】００１０
【補正方法】変更
【補正の内容】
【００１０】
また、実用新案登録請求の範囲及び明細書にいう、「離脱可能に留める（または接着する）」強さは、例えば、包み袋を下にしたときなどに、少なくとも包み袋の重さや風などで手持ち袋とずれたり手持ち袋から抜け外れることがなく、かつ、糞を処分するときに、糞を包んでいる包み袋に各種の外力を作用させて手持ち袋から離脱させることができる強さである。